(57)【要約】      （修正有）【課題】両隣の遊技者を気にせずに遊技をすることができるほか、おしぼり、灰皿、飲み物などのスペースを十分とることができるスロットマシーン型遊技具配置群を提供する。【解決手段】隣接するスロットマシーン型遊技具載置台１の間に、横断面が略平行四辺形に形成された四角形の台２（スペーサー）を、四角形の台の平行四辺形の長辺を挟むように配置し、スロットマシーン型遊技具載置台を連結方向に段差を有するように配置し、両隣の遊技者を見え難くした。【選択図】図１
0003120481.tif 000002
【実用新案登録請求の範囲】
【請求項１】
隣接するスロットマシーン型遊技具載置台の間に、横断面が略平行四辺形に形成された四角形の台（スペーサー）を、該四角形の台の平行四辺形の長辺を挟むように配置して、前記スロットマシーン型遊技具載置台を、連結方向に段差を有するように配置したことを特徴とするスロットマシーン型遊技具。
【請求項２】
前記スロットマシーン型遊技具載置台を、前記スペーサーを介して凹凸状になるように配置する請求項１記載の遊技具。
【請求項３】
前記スロットマシーン型遊技具載置台と前記スペーサーとの上端面は、略同じ高さに形成されている請求項１又は２に記載の遊技具。
【請求項４】
前記スロットマシーン型遊技具載置台と前記スペーサーとは、接触若しくは近接している請求項１〜３のいずれかに記載の遊技具。
【請求項５】
前記スペーサー底面に、隣接する両スロットマシーン型遊技具の配線を連結するための凹部を形成し、該凹部は、両隣接するスロットマシーン型遊技具載置台に対向し、底面を連通するように形成されている請求項１〜４のいずれかに記載の遊技具。
【請求項６】
床面が階段状の段部に形成された段部に、前記スロットマシーン型遊技具載置台を、前記スペーサーを介して連結方向に段差を有するように配置する請求項１〜５のいずれかに記載の遊技具。
【考案の詳細な説明】
【技術分野】
【０００１】
この考案は、スロットマシーン若しくはパチンコのようなスロットマシーン型遊技具に係り、詳記すれば、横断面が略平行四辺形のスペーサーを使用して、連結方向に段差を有するように配置したスロットマシーン型遊技具に関する。
【背景技術】
【０００２】
スロットマシーン遊技具は、その遊技者の対向面中央に、水平方向の回転軸を有する３個の回転ドラムが設けられ、始動ボタンを押すことによりそれら回転ドラムが回転し、その後、各回転ドラムに対応する停止ボタンを押すことにより順次停止させるように構成されている。そして、各回転ドラムの側面に描かれた記号、図柄等が一致して停止した場合に、「当たり」となり多数のコインを獲得できるようになっている。
【０００３】
従来、スロットマシーン型遊技具は、側面同士を隣接させて直線状に配置していた。そして限られた区間スペースにできるだけ多数配設するため、側面同士は接触若しくはできるだけ近接させて配置していた。
【０００４】
しかしながら、このように配置したのでは、どの店も同じ配置であるので、遊技場としての面白みに欠けるほか、両隣に別の遊技者がいる場合があるが、その場合は自分だけの楽しみの空間が形成できず、遊技者によっては遊技が十分楽しめないという問題があった。
【０００５】
更に、従来は、おしぼり、灰皿及び飲み物の容器等は、スロットマシーン型遊技具より前面に出ている載置台の部分に置いていたが、狭くて、遊技の邪魔になる問題があった。
【考案の開示】
【考案が解決しようとする課題】
【０００６】
この考案は、このような点に着目してなされたものであり、両隣の遊技者を気にせずに遊技をすることができるほか、おしぼり、灰皿、飲み物などのスペースを十分取ることができるスロットマシーン型遊技具配置群を提供することを目的とする。
【課題を解決するための手段】
【０００７】
上記目的を達成するため、本考案者は、鋭意研究の結果、横断面略平行四辺形に形成したスペーサーを介して、段差を形成するように配置することによって、上記目的が達成し得ることを見出し、本考案に到達した。
【０００８】
しかして従来、スロットマシーン型遊技具の配置は、隣接するスロットマシーンの距離はできるだけ短くする方向で考えられてきたので、このような間隔を設ける発想自体容易に考えつかないことであった。
【０００９】
本考案のうち請求項１に記載の考案は、隣接するスロットマシーン型遊技具載置台の間に横断面が略平行四辺形に形成された四角形の台（スペーサー）を、該四角形の台の平行四辺形の長辺を挟むように位置させて、前記スロットマシーン型遊技具載置台を連結方向に段差を有するように配置したことを特徴とする。
【００１０】
前記スロットマシーン型遊技具載置台を、凹凸状になるようにスペーサーを介して配置するのが、両隣の遊技者がより見え難くなることから特に好ましい（請求項２）。
【００１１】
前記スロットマシーン型遊技具載置台とスペーサーとの上端面は、略同じ高さに形成するのが、おしぼり、灰皿、飲み物容器等が置き易いので好ましい（請求項３）。
【００１２】
前記スロットマシーン型遊技具載置台とスペーサーとは、接触若しくは近接状態とするのが、外観上及び安定感があることから好ましい（請求項４）。
【００１３】
前記略三角柱形スペーサー底面に、隣接する両スロットマシーン型遊技具の配線を連結するための凹部を形成し、該凹部は、両隣接するスロットマシーン型遊技具載置台に対向し、底面を連通するように形成するのが良い（請求項５）。両隣のスロットマシーン型遊技具を連結させて、遊技を行う場合があるからである。
【００１４】
既に床面が階段状の段部に形成されている場合に、前記スロットマシーン型遊技具載置台を連結方向に段差を有するように配置するのが特に好ましい。通常の床の場合は、スペーサーを介してリング状に配置しても本考案の目的は達成されるが、このような段差を有する床面の場合は、このように配置しない限り、本考案の目的は達成し得ないからである。
【考案の効果】
【００１５】
本考案によれば、断面略平行四辺形のスペーサーを使用して段差を有するように配置することによって、両隣の遊技者を気にせずに遊技をすることができ、遊技が十分楽しめるほか、おしぼり、灰皿、飲み物などを十分なスペースに置くことができ、ゆったりとした気分で遊技を十分楽しむことができる。
【００１６】
また、平行四辺形スペーサーを設けることによって、室内スペースは余分に取られるが、その分スロットマシーン型遊技具載置台に灰皿等の置くスペースを設ける必要がなくなることから、必要なスペースは殆ど変わらない。
【考案を実施するための最良の形態】
【００１７】
以下、本考案の好ましい実施の形態を、添付図面に基づいて詳細に説明する。
【００１８】
図１は、本考案の一実施例を示すものであり、スロットマシーン型遊技具載置台１を横断面平行四辺形の四角形の台（スペーサー）２を介して、上面略面一で連結方向に段部を形成するように５台連設した例を示す。スロットマシーン型遊技具は、このスロットマシーン型遊技具載置台１上に載置される。この実施例では、連結方向に上昇（右方向に向かって）又は下降（左方向に向かって）段部が形成されるようになっている。尚、スロットマシーン型遊技具載置台１は、平行四辺形スペーサー２の長辺を挟むように配置されている。
【００１９】
上記実施例においては、スロットマシーン型遊技具載置台１と平行四辺形スペーサー２とは、接触させて連設している。若干の隙間はあっても差し支えないが、接触させた方が外観上及び安定感があることから好ましい。
【００２０】
また上記実施例においては、背中合わせに、スロットマシーン型遊技具載置台１を横断面略平行四辺形のスペーサー２を介して、同様に配置している。
【００２１】
平行四辺形スペーサー２は、図２に示すように、横断面が平行四辺形の台に形成されている。この実施例では、平行四辺形スペーサー２は、平行四辺形筒状体３の上面に蓋体４が、下面に底板（図示せず）が嵌合することにより形成されている。配置した場合に外周面となる平行四辺形の面（横断面が平行四辺形の短辺となる）には、化粧板を貼着させておくのが、外観上の理由から好ましい。
【００２２】
図示していないが、前記断面略平行四辺形ペーサー２底面のスロットマシーン型遊技具載置台１対向方向には、隣接する両スロットマシーン型遊技具の配線を連結するための凹部を形成するのが好ましい。該凹部は、両隣接するスロットマシーン型遊技具載置台１に対向し、底面を連通するように形成するのがよい。
【００２３】
図３は、本考案の他の実施例を示すものであり、スロットマシーン型遊技具載置台１が、横断面平行四辺形のスペーサー２を介して、凹凸状に５台連設した例を示す。尚、スロットマシーン型遊技具載置台１及び横断面平行四辺形のスペーサー２について、図３においては、正面のみ描き、他は省略した。
このように配置すると、両隣の人がより見え難くなり、両隣の遊技者を殆ど気にせずに遊技をすることができる。
【図面の簡単な説明】
【００２４】
【図１】本考案の一実施例を示す斜視図である。
【図２】本考案の断面略平行四辺形スペーサーの一実施例を示す斜視図である。
【図３】本考案の他の実施例を示す斜視図である。
【符号の説明】
【００２５】
１            スロットマシーン型遊技具載置台
２            横断面略平行四辺形のスペーサー
【図１】
0003120481.tif 000003
【図２】
0003120481.tif 000004
【図３】
0003120481.tif 000005